(57)【要約】  【課題】  本発明の目的の１つは、ＳＣＨによる受信エラーを回避することを１つの目的とする。また、ＳＣＨの影響の変化に応じて受信エラーの回避を制御することで、更なる伝送効率の向上を図ることを目的とする。【解決手段】  本発明においては、受信装置への伝送データを符号分割により送信する送信装置において、同期用の信号をバースト状に送信する同期用信号送信手段と、同期用信号の送信期間を除いて前記伝送データの送信を行なうように送信タイミングを制御する制御手段と、を備えたことを特徴とする送信装置を用いる。【選択図】        図３
2005323003.tif 000002
【特許請求の範囲】
【請求項１】
受信装置への伝送データを符号分割により送信する送信装置において、
同期用の信号をバースト状に送信する同期用信号送信手段と、
同期用信号の送信期間を除いて前記伝送データの送信を行なうように送信タイミングを制御する制御手段と、
を備えたことを特徴とする送信装置。
【請求項２】
前記送信装置は、前記同期用信号の送信期間には、付加ビットを送信するように、ビット付加部を備えた、
ことを特徴とする請求項１記載の送信装置。
【請求項３】
前記付加ビットは、前記伝送データの一部のコピー又はダミービットであることを特徴とする請求項２記載の送信装置。
【請求項４】
前記制御手段は、前記受信装置からの受信信号に基づいて、前記同期用信号の送信期間を除いて前記伝送データの送信を行なうモードと、前記同期用信号の送信期間も含めて前記伝送データの送信を行なうモードとを切り換え可能な、
ことを特徴とする請求項１記載の送信装置。
【請求項５】
バースト状に送信される同期用の信号、符号分割により送信された伝送データを送信する送信装置から信号を受信する受信装置において、
同期用信号の送信期間を除いて送信された伝送データを受信する受信手段と、
受信した該伝送データに基づいて復調、復号処理を行なう復調、復号手段と、
を備えたことを特徴とする受信装置。
【請求項６】
前記復調又は復号手段は、受信信号から前記同期用信号の送信期間に送信される付加ビットを削除して復調又は復号を行なう、
ことを特徴とする請求項５記載の受信装置。
【請求項７】
前記復調又は復号手段は、受信信号から前記同期用信号の送信期間に送信される付加ビットを同期用信号の送信期間を除いて送信された伝送データに合成して得られた受信信号に基づいて、復調又は復号を行なう、
ことを特徴とする請求項５記載の受信装置。
【請求項８】
受信状況に応じて、前記送信装置に対して、前記同期用信号の送信期間を除いて前記伝送データの送信を行なうモードと、前記同期用信号の送信期間も含めて前記伝送データの送信を行なうモードとの切り換えを指示する信号を送信するフィードバック手段、
を備えたことを特徴とする請求項５記載の受信装置。
【発明の詳細な説明】
【技術分野】
【０００１】
本発明は、送信装置、受信装置に関し、例えば、Ｗ−ＣＤＭＡ通信方式を採用した移動無線通信システムにおける無線基地局、移動局に関する。
【背景技術】
【０００２】
現在、３ＧＰＰ（３rd  Generation Partnership Project）で、第３世代移動通信システムの１つの方式であるＷ−ＣＤＭＡ方式の標準化が進められている。そして、標準化のテーマの１つとして下りリンクで最大約１４Ｍｂｐｓの伝送速度を提供するＨＳＤＰＡ（High Speed Downlink Packet Access）が規定されている。
【０００３】
ＨＳＤＰＡは、適応符号化変調方式を採用しており、例えば、ＱＰＳＫ変調方式と１６値ＱＡＭ方式とを基地局、移動局間の無線環境に応じて適応的に切りかえることを特徴としている。
【０００４】
また、ＨＳＤＰＡは、Ｈ−ＡＲＱ（Hybrid Automatic Repeat reQuest）方式を採用している。ＨＳＤＰＡは、移動局が基地局からの受信データについて誤りを検出した場合に、移動局からの要求により基地局からデータの再送が行われ、移動局は、既に受信済みのデータと、再送された受信データとの双方を用いて誤り訂正復号化を行うことで特徴付けられる。このようにＨ−ＡＲＱでは、誤りがあっても既に受信したデータを有効に利用することで、誤り訂正復号の利得を高め、再送回数を抑えている。
【０００５】
ＨＳＤＰＡに用いられる主な無線チャネルは、ＨＳ−ＳＣＣＨ（High Speed-Shared Control Channel）、ＨＳ−ＰＤＳＣＨ（High Speed-Physical Downlink Shared Channel）、ＨＳ−ＤＰＣＣＨ（High Speed-Dedicated Physical Control Channel）がある。
【０００６】
ＨＳ−ＳＣＣＨ、ＨＳ−ＰＤＳＣＨは、双方とも下り方向（即ち、基地局から移動局への方向）の共通チャネルであり、ＨＳ−ＳＣＣＨは、ＨＳ−ＰＤＳＣＨにて送信するデータに関する各種パラメータを送信する制御チャネルである。各種パラメータとしては、例えば、どの変調方式を用いてＨＳ−ＰＤＳＣＨによりデータを送信するかを示す変調タイプ情報や、拡散符号の割当て数（コード数）、送信データに対して行うレートマッチングのパターン等の情報が挙げられる。
【０００７】
一方、ＨＳ−ＤＰＣＣＨは、上り方向（即ち、移動局から基地局への方向）の個別の制御チャネルであり、ＨＳ−ＰＤＳＣＨを介して受信したデータの受信可、否に応じてそれぞれＡＣＫ信号、ＮＡＣＫ信号を移動局が基地局に対して送信する場合に用いられる。尚、移動局がデータの受信に失敗した場合（受信データがＣＲＣエラである場合等）は、ＮＡＣＫ信号が移動局から送信されるので、基地局は再送制御を実行することとなる。
【０００８】
その他、ＨＳ−ＤＰＣＣＨは、基地局からの受信信号の受信品質（例えばＳＩＲ）を測定した移動局が、その結果をＣＱＩ（Channel Quality Indicator）として基地局に送信するためにも用いられる。基地局は、受信したＣＱＩにより、下り方向の無線環境の良否を判断し、良好であれば、より高速にデータを送信可能な変調方式に切りかえ、逆に良好でなければ、より低速にデータを送信する変調方式に切りかえる（即ち、適応変調を行う）。
・「チャネル構造」
次に、ＨＳＤＰＡにおけるチャネル構成について説明する。
【０００９】
図１は、ＨＳＤＰＡにおけるチャネル構成を示すための図である。尚、Ｗ−ＣＤＭＡは、符号分割多重方式を採用するため、各チャネルは符号により分離されている。
【００１０】
まず、説明していないチャネルについて簡単に説明しておく。
【００１１】
ＣＰＩＣＨ（Common Pilot Channel）、ＳＣＨ（Synchronization Channel）は、それぞれ下り方向の共通チャネルである。
【００１２】
ＣＰＩＣＨは、移動局においてチャネル推定、セルサーチ、同一セル内における他の下り物理チャネルのタイミング基準として利用されるチャネルであり、いわゆるパイロット信号を送信するためのチャネルである。ＳＣＨは、厳密には、Ｐ−ＳＣＨ（Primary SCH）、Ｓ−ＳＣＨ（Secondary SCH）があり、各スロットの先頭の２５６チップでバースト状に送信されるチャネルである。尚、ＳＣＨは、３段階セルサーチで移動局に受信され、スロット同期、フレーム同期を確立するために用いられる。
【００１３】
次に、図１を用いて、チャネルのタイミング関係について説明する。
【００１４】
図のように、各チャネルは、１５個のスロット（各スロットは、２５６０チップ長相当）により１フレーム（１０ｍｓ）を構成している。先に説明したように、ＣＰＩＣＨは他のチャネルの基準として用いられるため、ＳＣＨ及びＨＳ−ＳＣＣＨのフレームの先頭はＣＰＩＣＨのフレームの先頭と一致している。ここで、ＨＳ−ＰＤＳＣＨのフレームの先頭は、ＨＳ−ＳＣＣＨ等に対して２スロット遅延しているが、移動局がＨＳ−ＳＣＣＨを介して変調タイプ情報を受信してから、受信した変調タイプに対応する復調方式でＨＳ−ＰＤＳＣＨの復調を行うことを可能にするためである。また、ＨＳ−ＳＣＣＨ、ＨＳ−ＰＤＳＣＨは、３スロットで１サブフレームを構成している。
【００１５】
ＨＳ−ＤＰＣＣＨは、ＣＰＩＣＨに同期していないが、上り方向のチャネルであり、移動局において生成されたタイミングに基づくためである。尚、１サブフレームは、３×２５６０チップ長に相当するため、拡散率（ＳＦ）が１６で、１６値ＱＡＭで送信を行なう場合には、１サブフレームあたり１つの拡散符号により１９２０ビットの送信を行なうことができる。
【００１６】
以上が、ＨＳＤＰＡのチャネル構成の簡単な説明である。次に、送信データがＨＳ−ＰＤＳＣＨを介して送信されるまでの過程についてブロック図を用いながら説明する。
・「基地局の構成」
図２は、ＨＳＤＰＡをサポートする基地局の構成を示す。
【００１７】
図において、１はＣＲＣ付加部、２は符号ブロック分割部、３はチャネル符号化部、４はビット分離部、５はレートマッチング部、６はビット収集部、７は変調部を示す。
【００１８】
次に各ブロックの動作について説明する。尚、理解を容易にするために、例として、送信データ（ＴＢＳ：トランスポートブロックサイズ）を２７９５２ビット、第１レートマッチング後のデータ量（プロセスメモリサイズ）を２８８００ビットとして各処理後のビット数の変化を記述する。尚、プロセスメモリサイズは、受信装置である移動局の処理能力に応じて設定可能なデータサイズである。
【００１９】
ＨＳ−ＰＤＳＣＨを介して送信される送信データの２７９５２ビット（図１におけるＨＳ−ＰＤＳＣＨの１サブフレーム内に収められるデータ）は、まず、１のＣＲＣ付加部においてＣＲＣ演算処理がなされ、演算結果である２４ビットが送信データの最後尾に付加される。そして、ＣＲＣ演算結果の付加された送信データの２７９７６ビットは、符号ブロック分割部２に入力されて、２ビットのフィラービットが付加され、４６６３ビットのブロック６つに分割される。これは、受信側における復号処理負荷を考慮して、誤り訂正符号化を行う単位のデータ長を短くするためであり、所定長を超える場合には、複数のブロックに等分するのである。尚、分割数は６以外もあり得、データ長が短い場合は分割不要である。
【００２０】
分割された送信データのそれぞれは、チャネル符号化部３において、それぞれ別個の誤り訂正符号化の対象のデータとして扱われる。即ち、分割された第１ブロック、第２ブロック、…のそれぞれについて誤り訂正符号化処理が施される。チャネル符号化の例としては、ターボ符号化が挙げられる。ターボ符号化に際しては、まず、４６６３ビットのそれぞれにテールビット４ビットが付加され、符号化率１／３で符号化されるため、結局合計（４６６３＋４）×３×６＝８４００６ビットの符号化データが出力される。
【００２１】
ここで、ターボ符号化について簡単に説明する。ターボ符号化は、符号化の対象となるデータをＵとすると、Ｕに基づいて、Ｕそのものと、Ｕを畳み込み符号化して得られたＵ'と、Ｕをインタリーブ（並び替え処理）してから同様に畳み込み符号化して得られたＵ''とを出力することとなる。ここで、Ｕは、組織ビットと称され、ターボ復号において、２つの要素復号器の双方で用いられるデータであり、利用頻度が高いため重要度が高いデータであると解することができる。他方、Ｕ'、Ｕ''は冗長ビットであり、それぞれ２つの要素復号器の１方で用いられるデータであり、利用頻度が低いため重要度はＵより低いものと解することができる。
【００２２】
即ち、組織ビットの方が冗長ビットよりも重要度が高く、組織ビットがより正しく受信されることで、ターボ復号器により正しい復号結果を得ることができるともいえる。
【００２３】
さて、このようにして生成された、組織ビットと、冗長ビットは、シリアルデータとしてビット分離部４に入力され、ビット分離部４は、入力されたシリアルデータをＵ、Ｕ'、Ｕ''の３つの系統のデータに分離し、パラレルデータとして出力する。
【００２４】
レートマッチング部５は、ＨＳ−ＰＤＳＣＨの３スロットで構成されるサブフレーム内に収まるように、所定のアルゴリズムによりビットを削除するパンクチャ処理を行ったり、ビットを繰り返すことによるレピテッション処理を行う。ここでは、入力された８４００６ビットをパンクチャ処理により２８８００ビットに圧縮して出力する。
【００２５】
このように、レートマッチング部５において、サブフレームへのビット適合化の処理が施されたビットは、ビット収集部６にパラレルに入力される。
【００２６】
ビット収集部６は、入力データに基づいて、例えば１６値ＱＡＭ変調の各信号点を示す４ビットのビット列を生成して出力する。尚、ビット列の生成に際しては、最初の送信時には組織ビットを誤りずらい上位ビット側に優先的に配置される。
【００２７】
変調部７は、入力された２８８００ビットを１５個の拡散コードのそれぞれ用に振り分け、Ｉ用、Ｑ用それぞれ９６０ビットのデータに対してＳＦ＝１６で拡散処理し、拡散処理後の信号を合成してから、１６値ＱＡＭ変調を施し、更に、周波数変換により無線周波数に変換してから不図示のアンテナ側へ送出する。
【００２８】
上述した、ＨＳＤＰＡに関する事項は、例えば次の特許文献１非特許文献１に開示されている。
【非特許文献１】３Ｇ  ＴＳ  ２５．２１２（3rd Generation Partnership Project: TechnicalSpecification Group Radio Access Network ; Multiplexing and channel coding (FDD)）
【発明の開示】
【発明が解決しようとする課題】
【００２９】
先に説明した背景技術によれば、ＨＳ−ＰＤＳＣＨの各スロットの先頭部分は、ＳＣＨと送信時間が重なっている。具体的には、ＳＣＨは、各スロットの先頭から２５６チップ分占有しているため、１スロットの１／１０の時間を占めることとなる。一方、ＨＳ−ＰＤＳＣＨは、１サブフレームあたり３×２５６０チップ長であるから、ＳＦ＝１６の場合は、３×２５６０／１０／１６＝４８ビット分がＳＣＨと同時に送信されることとなる。
【００３０】
しかし、ＳＣＨは、移動局によるスロット、フレーム同期確立を高速に実現するために、拡散符号多重される他のチャネルと直交しないバースト状のチャネルとなっている。
【００３１】
また、ＳＣＨは、セル内の全ての移動局で共通に使用され、かつ、セルサーチという通信確立の最も初期段階で必要となるため、他のチャネルに対して比較的大きな電力で送信される。
【００３２】
従って、小さな拡散率でかつ、１６値ＱＡＭ等のように平均電力に対するシンボル点間隔が狭い変調方式を用いて、高速にデータ送信を行なうＨＳ−ＰＤＳＣＨにとっては、ＳＣＨによる干渉は重大な影響を与え、受信エラーを引き起こしてしまう。また、受信エラーが発生した場合は、Ｈ−ＡＲＱによる再送制御が繰返されることとなるため、自身の伝送効率が低下し、更に他のＨＳＤＰＡのユーザの送信を害することとなる。
【００３３】
従って、本発明の目的の１つは、ＳＣＨによる受信エラーを回避することを１つの目的とする。
【００３４】
また、ＳＣＨの影響の変化に応じて受信エラーの回避を制御することで、更なる伝送効率の向上を図ることを目的とする。
【００３５】
尚、上記目的に限らず、後述する発明を実施するための最良の形態に示す各構成により導かれる効果であって、従来の技術によっては得られない効果を奏することも本発明の目的の１つとして位置付けることができる。
【課題を解決するための手段】
【００３６】
（１）本発明では、受信装置への伝送データを符号分割により送信する送信装置において、同期用の信号をバースト状に送信する同期用信号送信手段と、同期用信号の送信期間を除いて前記伝送データの送信を行なうように送信タイミングを制御する制御手段と、を備えたことを特徴とする送信装置を用いる。
（２）また、本発明では、前記送信装置は、前記同期用信号の送信期間には、付加ビットを送信するように、ビット付加部を備えた、ことを特徴とする（１）記載の送信装置を用いる。
（３）また、本発明では、前記付加ビットは、前記伝送データの一部のコピー又はダミービットであることを特徴とする（２）記載の送信装置を用いる。
（４）また、本発明では、前記制御手段は、前記受信装置からの受信信号に基づいて、前記同期用信号の送信期間を除いて前記伝送データの送信を行なうモードと、前記同期用信号の送信期間も含めて前記伝送データの送信を行なうモードとを切り換え可能な、ことを特徴とする（１）記載の送信装置を用いる。
（５）また、本発明では、バースト状に送信される同期用の信号、符号分割により送信された伝送データを送信する送信装置から信号を受信する受信装置において、同期用信号の送信期間を除いて送信された伝送データを受信する受信手段と、受信した該伝送データに基づいて復調、復号処理を行なう復調、復号手段と、を備えたことを特徴とする受信装置を用いる。
（６）また、本発明では、前記復調又は復号手段は、受信信号から前記同期用信号の送信期間に送信される付加ビットを削除して復調又は復号を行なう、ことを特徴とする（５）記載の受信装置を用いる。
（７）また、本発明では、前記復調又は復号手段は、受信信号から前記同期用信号の送信期間に送信される付加ビットを同期用信号の送信期間を除いて送信された伝送データに合成して得られた受信信号に基づいて、復調又は復号を行なう、ことを特徴とする（５）記載の受信装置を用いる。
（８）また、本発明では、受信状況に応じて、前記送信装置に対して、前記同期用信号の送信期間を除いて前記伝送データの送信を行なうモードと、前記同期用信号の送信期間も含めて前記伝送データの送信を行なうモードとの切り換えを指示する信号を送信するフィードバック手段、を備えたことを特徴とする（５）記載の受信装置を用いる。
【発明の効果】
【００３７】
本発明にかかる送信装置によれば、バースト状に送信する同期用信号の送信期間を除いた期間で伝送データを送信、受信できるため、同期用信号の影響を回避することができる。
【発明を実施するための最良の形態】
【００３８】
以下、図面を参照することにより、本発明の実施の形態について説明する。
【００３９】
〔ａ〕第１実施形態の説明
図３は、本発明に係る送信装置を示す図である。
【００４０】
尚、送信装置の１例として、先に説明したＨＳＤＰＡに対応したＷ−ＣＤＭＡ通信システムの送信装置（無線基地局）について説明することとする。他の通信システムにおける送信装置に適用することも可能である。
【００４１】
図において、１０はＨＳ―ＰＤＳＣＨを介して送信する伝送データ（１サブフレーム内で送信するトランスポートブロック）を順次出力するとともに各部（１１〜２６等）の制御を行う制御部を示す。尚、ＨＳ−ＰＤＳＣＨは、共通チャネルであるから、順次出力される伝送データは、それぞれ異なる移動局宛てであることが許容される。
【００４２】
ここで、伝送データとしては、少なくともＳＣＨの送信期間に対応するビット数分だけ伝送データを少なくするために、前述したトランスポートブロックサイズである２７９５２ビットに対して０．９倍し、小数点以下を切り捨てたビット数である２５１５６ビットのデータとして出力する。このように、符号化前の所定のトランスポートブロック数を少ないビット数にすることをトランスポートブロックの圧縮と呼ぶ。これによれば、トランスポートブロックサイズ自体を最初から小さくすることで符号化データに対する圧縮率が実質的に高くなることを抑制される。
【００４３】
もちろん、トランスポートブロックサイズを従来と同様（トランスポートブロックを非圧縮）にして、チャネル符号化後の符号化データを後述する第１レートマッチグ部１６、第２レートマッチング部１８等で圧縮してＳＣＨ送信期間に対応するビットの削除を行なってもよい。尚、このように、符号化後のビット数をＨＳ−ＰＤＳＣＨの１サブフレーム全体に収納可能なビット数よりも少ないビット数にすることを符号化データの圧縮と呼ぶ。
【００４４】
制御部１０の主要な制御としては、次の事項が挙げられる。
（１）後述する受信部２６により受信したＮＡＣＫ信号に基づいて再送信の制御を行なう。
（２）伝送データをＳＣＨの送信期間内のビットに配置しないように制御する。
【００４５】
１１は、順次入力される伝送データ（同じ無線フレーム内で送信するデータ）に対してＣＲＣ演算を行い、この伝送データの最後尾にＣＲＣ演算結果である２４ビットを付加するＣＲＣ付加（CRC attachment）部、１２は、ＣＲＣ演算結果が付加された伝送データに対して、ビット単位でスクランブルをかけることで、送信データにランダム性を与えるビットスクランブル（Bit scrambling）部を示す。尚、ＣＲＣ演算結果の付加後は、２５１８０ビットとなる。
【００４６】
１３は、次に行うチャネル符号化において、符号化の対象とするデータ長が長くなりすぎることで、受信側の復号器の演算量が増大することを防止する等の目的から、入力されたビットスクランブル後の伝送データが、所定のデータ長を超える場合に、分割（例えば、２等分）する符号ブロック分割（Code block segmentation）部を示す。図では、入力データ長が所定のデータ長を超えており、ここでは、５分割したものとして考えるため、
フィラ−ビットは０として、２５１８０÷５＝５０３６ビットの分割される。
【００４７】
１４は、分割された各データについてそれぞれ、別個に誤り訂正符号化処理を施すチャネル符号化（Channel coding）部を示す。ここでは、テールビットは４ビット、符号化率１／３とすると、符号化後のビット数の合計は、（５０３６＋４）×３×５＝７５６００ビットとなる。
【００４８】
尚、チャネル符号化部１４としては、前述のターボ符号器を用いることが望ましく、ここでもターボ符号器を用いることとする。
【００４９】
従って、その第１の出力は、先に説明したように、第１ブロックについて、符号化対象のデータと同じデータである重要な組織ビット（Ｕ）と、組織ビット（Ｕ）を畳み込み符号化して得られる第１冗長ビット（Ｕ'）と、組織ビットをインタリーブ処理してから同様に畳み込み符号化して得られる第２冗長ビット（Ｕ''）とが含まれる。同様に、第２の出力には、第２ブロックについての組織ビット（Ｕ）、第１冗長ビット（Ｕ'）、第２冗長ビット（Ｕ''）が含まれる。
【００５０】
１５は、チャネル符号化部１４（ターボ符号器）からシリアル入力された各ブロックの各組織ビット（Ｕ）、第１冗長ビット（Ｕ'）、第２冗長ビット（Ｕ''）をそれぞれ分離して出力するビット分離（Bit separation）部を示す。
【００５１】
１６は、入力されたデータ（複数のブロックに分割している場合は、分割されたブロックのデータの全て）が、移動局の能力に応じて定まるプロセスメモリサイズに収まるデータ量となるように、入力データに対してパンクチャ処理（ビットの削除による間引き）等のレートマッチング処理を行う第１レートマッチング（1st rate matching）部を示す。
【００５２】
従来では、レートマッチング処理後のデータサイズであるプロセスメモリサイズを２８８００ビットとしていたが、本実施形態では、ＳＣＨと同時に伝送データの送信を回避するために、従来に対して、ビット数を圧縮する。即ち、２８００ビットの０．９倍のビット数である２５９２０ビットとなるようにレートマッチング処理を行なう。
【００５３】
尚、トランスポートブロックサイズを従来と同様にする場合（トランスポートブロックの非圧縮時）は、第１レートマッチング部に入力されるデータは、従来同様８４００６ビットとなるが、その場合は、ＳＣＨとの同時送信を回避すべく、第１レートマッチング部１６におけるレートマッチング処理後のビット数をプロセスメモリサイの０．９倍である２５９２０ビットとし、更に、後述する第２レートマッチング部１８におけるレートマッチング処理後のビットをＨＳ−ＰＤＳＣＨの１サブフレームに収納可能なビット数の０．９倍である２５９２０ビットになるよにレートマッチング処理を行なえばよい。
【００５４】
尚、ここで第１レートマッチング部１６では、プロセスメモリサイズは、２８８００ビットのままとし、第２レートマッチング部１８で、ビット数を２５９２０ビットに圧縮することもできる。
【００５５】
１７は、バーチャルバッファ（Buffer）部を示す。再送信時には、格納したデータを出力することで、ＣＲＣ付加部１１〜第１レートマッチング部１６までの処理を省略することができるが、再送信時に符号化率を変更したい場合等には、格納したデータを使わず、制御部１０で記憶している送信データを再度出力することが望ましい。尚、バーチャルバッファ部１７としてバッファを設けず、そのままスルーとすることもできる。その場合、再送データは、制御部１０から再度出力することとなる。
【００５６】
１８は、制御部１０により、指定された１サブフレーム内に収納可能なデータ長に調整するための第２レートマッチング（2nd rate matching）部を示し、パンクチャ処理（間引き）、レピテション処理（繰り返し）を施すことで、指定されたデータ長となるように、入力されたデータのデータ長を調整する。
【００５７】
ここで、ＳＣＨとの重なりを回避するためには、１サブフレーム内に収納可能なデータ長を従来に対して短くしなければならない。具体的には、１サブフレーム内に収納可能（拡散コード：１５個、１６値ＱＡＭ変調方式、ＳＦ＝１６の場合）なビット数は、２８８００であるから、ＳＣＨとの重なりを回避するためには、０．９倍の２５９２０ビットとする必要がある。
【００５８】
この実施形態では、ＳＣＨを回避した１サブフレームに収納可能なビット数とプロセスメモリサイズが一致しており、実際には、第２レートマッチング処理としては、特段処理なされず、出力されることとなる。
【００５９】
もちろん、ＳＣＨを回避した１サブフレームに収納可能なビット数がプロセスメモリサイズより小さい場合には、第２レートマッチング部１８におけるパンクチャ処理により、ＳＣＨを回避した１サブフレームに収納可能なビット数となるようにビット削除を行なうこととなる。
【００６０】
１９は、第２レートマッチング部１９からのデータを複数のビット列に配置するビット収集(Bit collection)部を示す。即ち、所定のビット配置方法により配置することで、それぞれ位相平面上における信号点を示すための複数のビット列を出力する。尚、この実施例では、１６値ＱＡＭ変調方式を用いるため、ビット列は４ビットで構成されるが、６４値ＱＡＭ変調方式を用いる場合はビット列は６ビット、ＱＰＳＫ変調方式を用いる場合はビット列は２ビットにする。
【００６１】
２０は、制御部１０により通知された拡散符号の数（コード数）と同じ数の系統に、ビット列を分割して出力するとともに、ビットを付加する物理チャネル分割・ビット付加部を示す。即ち、制御部１０により通知された送信パラメータにおけるコード数が１５（Ｎ）の場合、入力されたビット列を順に１〜１５（Ｎ）の系統に振り分け、振り分けた各系統のデータをＩ、Ｑデータに分けてから３つに分割（１フレームには、３スロット含まれ、各スロットの先頭がＳＣＨと重なるからである）して得られた、２８８（＝２５９２０÷１５÷２÷３）ビットに３２ビットを付加する。ここで、３２ビットは付加ビットであり、伝送データの一部を用いることもできるし、所定のビット（いわゆるダミービット）とすることもできる。
【００６２】
尚、この３２ビット部分が送信されるタイミングとＳＣＨが送信されるタイミングが重なるように、３２ビットは、分割した各ビットの先頭に付加する。
【００６３】
２１は、Ｎ系統のビット列のそれぞれに対して、インタリーブ処理を施して出力するインタリーブ（Interleaving）部を示す。
【００６４】
２２は、入力された各ビット列に対してビット列内でのビットの再配置が可能なコンスタレーション再配置（Constellation re-arrangement for 16 QAM）部を示す。例えば、最初の送信時においては、入力された各ビット列をそのまま素通しで出力し、先に説明したＨ−ＡＲＱにおける再送時に、ビットの再配置を行うようにすることもできる。ビットの再配置としては、例えば、上位ビットと下位ビットを入れ替えるなどの処理であり、複数のビット列について同じ法則でビット入れ替えを行うことが好ましい。尚、再送時のもそのまま素通しすることもできる。  ２３は、後段のＮ系統のビット列を、後段の拡散処理部２４の対応する拡散部に振り分ける物理チャネルマッピング（Physical channel mapping）部を示す。
【００６５】
２４は、複数の拡散部を備え、それぞれ、Ｎ系統の各ビット列に基づき対応するＩ、Ｑの電圧値を出力し、それぞれ異なる拡散コードにより拡散処理を施して出力する拡散処理(Spreading)部を示す。
【００６６】
２５は、拡散処理部２４により拡散された各信号を合成し、これに基づいて、例えば１６値ＱＡＭ変調方式等の振幅位相変調を施し、可変利得増幅器により増幅し、更に、無線信号に周波数変換してからアンテナ側に出力して無線信号として送信可能とする変調（Modulating）部を示す。
【００６７】
尚、ＨＳ−ＰＤＳＣＨの各スロットの先頭には、付加ビットが挿入され、ＳＣＨと同時に送信され、１０〜２５までの一連の処理を施された伝送データ自体はＳＣＨとの同時送信は回避される。
【００６８】
図４は、このタイミング関係を説明するための図である。
【００６９】
図において、ＨＳ−ＰＤＳＣＨにおける斜線部分の時間帯（ＳＣＨの送信を行なう時間帯と重複する時間帯）には、前述した付加ビットの送信が行なわれ、伝送データは、サブフレーム内における斜線部分の時間帯を除いた時間で送信を行なわれる。
【００７０】
２６は、受信部を示し、ＨＳ−ＤＰＣＣＨ等を介して受信した移動局からの信号を受信し、ＡＣＫ、ＮＡＣＫ信号、ＣＱＩ等を制御部１０に与える。
【００７１】
以上のように、ＳＣＨの送信期間を回避してＨＳ−ＰＤＳＣＨを送信することとしたので、ＳＣＨによる干渉の影響を抑えることができる。尚、ＳＣＨと重なるビット数以上のビットを１サブフレーム内で送信できないこととなるが、再送制御の発生率が抑えられることとなる。
【００７２】
ＳＣＨの送信を行なう全ての時間帯においては、付加ビットの送信のみ許容することが望ましいが、ＳＣＨの送信を行なう時間帯の一部であっても付加ビットを送信することとして、他の部分は、伝送データの送信を行なうこととすることにより、従来に対して移動局における受信エラーの発生率を抑え、ひいては再送確率を下げることができるという効果を得ることができる。
【００７３】
次に本発明に係る受信装置について説明する。
【００７４】
尚、受信装置の１例として、先に説明したＨＳＤＰＡに対応したＷ−ＣＤＭＡ通信システムの受信装置（移動局）について説明することとする。他の通信システムにおける受信装置に適用することも可能である。
【００７５】
図において、３１は、逆拡散等の受信処理を行なう復調部、３２は、復調後の受信信号に基づいてチャネル復号（例えば、ターボ復号）を行なうチャネル復号部、３３は、ＣＲＣチェックを行なうＣＲＣチェック部、３４は、制御部、３５は、送信処理部をそれぞれ示す。
【００７６】
動作について簡単に説明すると、移動局は、ＨＳ−ＳＣＣＨをモニタすることで、ＨＳ−ＰＤＳＣＨを介して自局に伝送データが送信されるかどうかをチェックする。
【００７７】
ＨＳ−ＳＣＣＨの受信により、自局宛てにＨＳ−ＰＤＳＣＨの送信があることを認識すると、ＨＳ−ＰＤＳＣＨの受信処理を復調部３１で行なう。
【００７８】
その際、変調タイプ、拡散コード数等の情報は、ＨＳ−ＳＣＣＨを介して取得しているため、これらのパラメータに従って、制御部３４は、復調部３１を対応する検波方式、拡散コード数に設定する。
【００７９】
そして、復調処理を施した信号をチャネル復号部３２へ与え、チャネル復号部３２は、ターボ復号等の復号処理を行なう。
【００８０】
ここで注意すべきは、送信時において、ＳＣＨの回避をするために付加ビットの挿入が行なわれている点である。
【００８１】
付加ビットがダミービットの場合は、制御部３４は、復調部又はチャネル復号部等を制御することにより、ダミービット部分の削除を行なう。この時、ダミービットの数は、ＳＣＨの送信タイミングと重なる部分のビット数として既知であるため、スロットの先頭からその既知ビット数の削除を行なうことで付加ビットの削除は容易におこなうことができる。尚、ダミービットの削除は、結果として、チャネル復号を行なう際に、復号を行なう対象データからダミービットを除外するようにいずれかの箇所でビット削除を行なえばよい。
【００８２】
一方、付加ビットが伝送データの一部をコピーしたものである場合は、制御部３４は、復調部又はチャネル復号部等を制御することにより、付加ビット部分の削除を行なうこととしてもよいが、好ましくは次の処理を行なう。即ち、付加ビットを除く伝送データと対応する付加ビット部分を合成することで、ビットの確からしさを高めるのである。
【００８３】
そして合成後のデータに基づいて、チャネル復号部３２で復号を行なう。尚、合成の例としては、尤度を重み付けにより合成することが考えられる。重み付けの比率は付加ビット部分を他のビット部分以下の重み付けとすることが好ましい。ＳＣＨとの干渉が存在するため、確からしさが低下するためである。
【００８４】
チャネル復号部３２で復号されたデータは、ＣＲＣチェック部３３でＣＲＣチェックされ、結果が制御部３４に与えられる。
【００８５】
制御部３４は、ＣＲＣエラーあり、なしに応じてＮＡＣＫ、ＡＣＫを基地局に送信処理部３５を介して送信する。
【００８６】
また、別途、基地局における適応変調を実現すべく、基地局からの受信信号のＳＩＲ等に基づいて、ＣＱＩビットを制御部３４は生成し、送信処理部３５を介して送信する。
【００８７】
尚、ＣＱＩビットについては、第２実施例で詳述する。
【００８８】
以上のように、移動局は、チャネル復号の対象として、ＳＣＨの干渉のないビットを用いて復号処理を行なうため、受信エラーとなる確率が低減される。また、ＳＣＨの干渉を受けるビット部分に重み付けをして他の伝送データと合成してから復号処理を行なうため受信エラーとなる確率が低減される。
【００８９】
〔ｂ〕第２実施形態の説明
第１実施形態では、トランスポートブロック自体を小さく（トランスポートブロックの圧縮）して、更に、第１、第２レートマッチング部１６、１８のレートマッチング処理後のビット数を小さく（符号化データの圧縮）することで、ＳＣＨとの干渉を回避する例（例１）と、トランスポートブロック自体は小さくせず（トランスポートブロックの非圧縮）、第１レートマッチング部１６、第２レートマッチング部１８のレートマッチング処理後のビット数を小さく（符号化データの圧縮）することでＳＣＨとの干渉を回避する例（例２）を示した。
【００９０】
しかし、例１では、伝送レートが比較的高く、誤り訂正利得が期待できない場合（ＣＱＩ大）に特に有効で、例２では、伝送レートが比較的低く、誤り訂正利得が期待できる場合（ＣＱＩ小）の場合、従来例は、ＳＣＨの電力比が比較的低いセルに有効であるというそれぞれの長所がある。
【００９１】
そこで、本実施形態では、この長所を最大限活かすために、移動局からの信号に基づいて基地局、移動局間で例１、例２、従来例のいずれを適用するかについて同期をとりながらフレキシブルに設定を変更することとする。
【００９２】
即ち、ＣＰＩＣＨの受信ＳＩＲ等が良好な場合は、移動局が基地局に送信するＣＱＩ値は大きくなり、利用する拡散コード数もトランスポートブロック数も多く基地局から送信されることとなる。
【００９３】
本発明では、ＨＳ−ＰＤＳＣＨの受信品質（受信エラー、ブロック誤り率等）に基づいてＣＱＩ値を増減する。例えば、ターゲットブロックエラーを1e-1とし、ブロックエラーが2e-1より大きいときは、ＣＱＩ値を１減少させ、ブロックエラーが5e-2より小さいときはＣＱＩ値を１増加させる。
【００９４】
ここで、ＣＱＩ値と各パラメータの対応関係は図６に従う。
【００９５】
図６では、ＣＱＩは、基地局に送信するＣＱＩビットの値、ＴＢＳビット数は、基地局が１サブフレームの送信時に出力する伝送データのサイズ、コード数は、基地局が１つの移動局に対して送信する際にＨＳ−ＰＤＳＣＨの送信をする際に用いる拡散コードの数、変調タイプは、適応変調を行なう際の変調の種類であり、図の１６値ＱＡＭ以外には、ＱＰＳＫがある。ＴＢＳ圧縮ＯＮは、例１の圧縮方法を実行することで、レートマッチング部圧縮ＯＮは例２の圧縮方法を実行すること、付加ビットＯＮは、付加ビットを付加することを示す。もちろんＯＦＦは、各方法を実行しないことを示す。
【００９６】
いくつか例をあげて説明すると、無線回線における雑音が小さいときＣＱＩ＝ｎ＋１７となるが、ＳＣＨ電力が大きなセルでは、このＣＱＩでは安定せず、ＣＱＩの小さい値に移る。逆にＳＣＨ電力が小さいセルでは、このＣＱＩで安定しやすい。
【００９７】
無線回線における雑音が小さく、ＳＣＨ電力が大きいセルでは、ＣＱＩ＝ｎ＋１６で安定する。ＳＣＨの影響が小さなセルでは、更に伝送レートの高いＣＱＩ＝ｎ＋１７に以降する。
【００９８】
無線回線上の雑音が多少増加したとき、ＣＱＩ＝ｎ＋１５となるが、ＳＣＨ電力が大きなセルでは、このＣＱＩで安定せずＣＱＩのＣＱＩ＝ｎ＋１４に以降する。ＳＣＨの影響が小さなセルでは、ＣＱＩ＝ｎ＋１５で安定する。
【００９９】
無線回線上の雑音がＣＱＩ＝ｎ＋１５の説明と同等で、ＳＣＨ電力が大きなセルではＣＱＩ＝ｎ＋１４で安定する。ＳＣＨの影響が小さなセルでは、更に伝送レートを上げるべく、ＣＱＩ＝ｎ＋１５に移行する。
【０１００】
無線回線上の雑音がＣＱＩ＝ｎ＋１４の説明より増加したとき、ＳＣＨ電力が大きなセルでは、ＣＱＩ＝１３で安定する。ＳＣＨの影響が小さいセルでは更に伝送レートを上げるべくＣＱＩは、ｎ＋１４に移行する。
【０１０１】
以上が簡単な説明であるが、ＣＱＩが大きくなるほど伝送速度が増加するようにこのＣＱＩテーブルは構成されている。
【０１０２】
また、図では、伝送速度がかなり高い部分の例を示しているが、実際には、・・・で省略した部分で、ＱＰＳＫ変調を用いる例などがある。
【０１０３】
従って、もっと伝送速度が小さい部分についても、この図と同様に、圧縮のＯＮ、ＯＦＦを規定することもできるが、ＳＣＨ干渉は伝送速度が高いものほど顕著であるから、伝送速度が所定値以上のＣＱＩに対応する部分について、圧縮のＯＮ、ＯＦＦを定義することが好ましい。
【図面の簡単な説明】
【０１０４】
【図１】ＨＳＤＰＡにおけるチャネル構成を示すための図である。
【図２】ＨＳＤＰＡをサポートする基地局の構成を示す図である。
【図３】本発明に係る送信装置（基地局）を示すである。
【図４】本発明にかかるＨＳＤＰＡにおけるチャネル構成を示すための図である。
【図５】本発明に係る受信装置（移動局）を示す図である。
【図６】ＣＱＩテーブルを示す図である。
【符号の説明】
【０１０５】
１    ＣＲＣ付加部
２    符号ブロック分割部
３    チャネル符号化部
４    ビット分離部
５    レートマッチング部
６    ビット収集部
７    変調部
１０  制御部
１１  ＣＲＣ付加部
１２  ビットスクランブル部
１３  符号分割部
１４  チャネル符号化部
１５  ビット分離部
１６  第１レートマッチング部
１７  バーチャルバッファ部
１８  第２レートマッチング部
１９  ビット収集部
２０  物理チャネル分割・ビット付加部
２１  インタリーブ処理部
２２  コンスタレーション再配置部
２３  物理チャネルマッピング部
２４  拡散処理部
２５  変調部
２６  受信部
３１  復調部
３２  チャネル復号部
３３  ＣＲＣチェック部
３４  制御部
３５  送信処理部
【図１】
2005323003.tif 000003
【図２】
2005323003.tif 000004
【図３】
2005323003.tif 000005
【図４】
2005323003.tif 000006
【図５】
2005323003.tif 000007
【図６】
2005323003.tif 000008